(57)【特許請求の範囲】
【請求項１】
画像表示装置において、
画像を表示するための液晶表示部材と、
上記液晶表示部材を保持し、上記液晶表示部材の画像表示面を外部に露呈させる開口を
有する外装部材と、
上記画像表示装置内に配置され、上記液晶表示部材の画像表示面の背面に対向する位置に、該背面との間に空隙を有して
離間した位置に配置され上記背面を覆う覆い部と、上記液晶表示部材の周縁部のうち対向
する一対の縁部のそれぞれに接触配置され、上記液晶表示部材の背面に沿う方向に移動可能な一対の支持端とを有する板状保護部材と、
を具備することを特徴とする画像表示装置。
【請求項２】
上記板状保護部材の上記覆い部は円弧状に湾曲したことを特徴とする請求項１に記載の画像表示装置。
【請求項３】
上記画像表示装置は、デジタルカメラであることを特徴とする請求項１又は請求項２の
いずれかに記載の画像表示装置。
【発明の詳細な説明】
【技術分野】
【０００１】
この発明は、画像表示装置、詳しくは画像信号を画像として表示する画像表示装置に関するものである。
【背景技術】
【０００２】
従来、画像信号を画像として再生表示する表示ユニット（例えば液晶表示ユニット等）を有する画像表示装置が一般に実用化されている。また、この種の画像表示装置を備えて構成された電子機器、例えばデジタルカメラ，携帯電話，小型コンピュータ装置等もまた広く普及している。
【０００３】
従来の画像表示装置において、外装部材等に対して、例えば押圧力等の外力が加わった場合、装置内部に設けられる各種の構成部材が表示ユニットの背面（装置内部に向いている面）に接触し押圧する状態になることがある。このような場合には、例えば表示ユニットにおけるバックライトの照明光に非均一性が生じたり、画像表示画面上に輝度ムラや表示色不良，コントラスト不良，画像の歪み等の異常が発生し、部分的に正常な表示が行われない状況になることがある。
【０００４】
例えば、図７は、従来の画像表示装置において、外装部材に外力が加わったときに、内部構成部材が表示ユニットの背面を押圧することにより生じる表示不良の一例を模式的に示している。
【０００５】
図７に示す従来の画像表示装置１０１は、薄型箱形状の外装部材１１０の一面に表示ユニットの表示面が外部に露呈するように配設されて構成されている。この画像表示装置１０１の外装部材１１０に外力が加わったとき、表示ユニット１２１の背面（内側面；不図示）が内部構成部材（不図示）により押圧されると、図７に示す符号［Ｗ］で示されるような表示不良が生じることがある。
【０００６】
また、画像表示装置に対して落下等の衝撃が加わった場合には、装置内部の構成部材が表示ユニット背面に衝突することにより、表示ユニット自体が損傷してしまう可能性もある。
【０００７】
そこで、従来の画像表示装置においては、装置内における各種の構成部材の配置を工夫することにより、内部構成部材と表示ユニットの背面との間に充分な隙間を確保して、内部構成部材同士の接触や衝突等を抑止する工夫がなされていた。
【０００８】
また、表示ユニットの背面側を覆うように板状部材等を配置することにより、内部構成部材と表示ユニットの背面とが直接接触することを回避するように構成したものが、例えば特開２００５−２１５０７９号公報等によって種々の提案がなされている。  
【先行技術文献】
【特許文献】
【０００９】
【特許文献１】特開２００５−２１５０７９号公報
【発明の概要】
【発明が解決しようとする課題】
【００１０】
ところが、上記特開２００５−２１５０７９号公報等によって開示されている手段でも、衝撃等が加わったときに内部構成部材同士が衝突するのを避けるためには、各構成部材間に隙間を設ける必要がある。
【００１１】
しかしながら、この種の画像表示装置や、この画像表示装置を備えて構成される電子機器等においては、常に小型化への要望が強くある。したがって、この種の電子機器等において、さらなる小型化を進める場合には、内部構成部材の過密化が避けられず、内部構成部材間に充分な隙間を確保することが困難になりつつあるという問題点がある。
【００１２】
本発明は、上述した点に鑑みてなされたものであって、その目的とするところは、画像表示装置内部の各構成部材間に充分な隙間を確保できず、各構成部材同士が干渉したとしても不具合を生じさせることがなく、かつ装置の小型化に寄与し得る画像表示装置を提供することである。
【００１３】
特に、画像表示装置に対して外力が加わったときに、各構成部材が表示パネル裏面に接触したり衝突することにより生じる表示不良や、各構成部材の損傷を抑え得る構成を実現しながら、装置自体の小型化にも寄与し得る画像表示装置を提供することを目的とする。
【課題を解決するための手段】
【００１４】
上記目的を達成するために、本発明による画像表示装置は、画像を表示するための液晶表示部材と、上記液晶表示部材を保持し上記液晶表示部材の画像表示面を外部に露呈させる開口を有する外装部材と、上記画像表示装置内に配置され、上記液晶表示部材の画像表示面の背面に対向する位置に、該背面との間に空隙を有して離間した位置に配置され上記背面を覆う覆い部と、上記液晶表示部材の周縁部のうち対向する一対の縁部のそれぞれに接触配置され、上記液晶表示部材の背面に沿う方向に移動可能な一対の支持端とを有する板状保護部材とを具備する。
【発明の効果】
【００１５】
本発明によれば、画像表示装置内部の各構成部材間に充分な隙間を確保できず、各構成部材同士が干渉したとしても不具合を生じさせることがなく、かつ装置の小型化に寄与し得る画像表示装置を提供することができる。
【００１６】
特に、画像表示装置に対して外力が加わったときに、各構成部材が表示パネル裏面に接触したり衝突することにより生じる表示不良や、各構成部材の損傷を抑えることができると同時に、装置自体の小型化にも寄与し得る画像表示装置を提供することができる。
【図面の簡単な説明】
【００１７】
【図１】本発明の一実施形態の画像表示装置の背面側の外観を示す外観斜視図
【図２】図１の画像表示装置の構成部材のうち一部の構成部材を取り出して示す要部分解斜視図
【図３】図１の［３］−［３］線に沿う断面図
【図４】図１の［４］−［４］線に沿う断面図
【図５】図３で示す構成部材が組み立てられた状態を示す要部拡大図
【図６】本発明の一実施形態における板状保護部材についての変形例を示す図
【図７】従来の画像表示装置における表示ユニットの表示不良の一例を示す模式図
【発明を実施するための形態】
【００１８】
以下、図示の実施の形態によって本発明を説明する。
【００１９】
本発明の一実施形態は、例えば光学レンズにより形成される光学像を固体撮像素子を用いて光電変換し、これによって得られる画像信号を静止画像又は動画像を表わすデジタル画像データに変換し、こうして生成されたデジタルデータを記録媒体に記録し得ると共に、記録媒体に記録されたデジタル画像データに基いて静止画像又は動画像を再生表示する画像表示装置を備えて構成されるデジタルカメラを例に挙げて示すものである。
【００２０】
図１〜図６は、本発明の一実施形態を示す図である。このうち図１は、本発明の一実施形態の画像表示装置（デジタルカメラ）の背面側の外観を示す外観斜視図である。図２は、図１の画像表示装置（デジタルカメラ）の構成部材のうち一部の構成部材を取り出して示す要部分解斜視図である。図３，図４は、図１の画像表示装置（デジタルカメラ）の断面図である。このうち図３は、図１の［３］−［３］線に沿う断面図である。また図４は、図１の［４］−［４］線に沿う断面図である。図５は、図３で示す構成部材が組み立てられた状態を示す要部拡大図である。図６は、本発明の一実施形態における板状保護部材についての変形例を示す図である。
【００２１】
本実施形態においては、本デジタルカメラの使用時に被写体に対向する面をカメラ前面というものとし、表示ユニットの表示部が露呈している面をカメラ背面というものとする。また、操作部材のうちシャッターレリーズボタンが配設されている面をカメラ上面というものとする。このカメラ上面に対向する面をカメラ底面というものとする。さらに、該デジタルカメラの通常の使用状態で両側に配置される面をカメラ左側面及びカメラ右側面というものとする。この場合における左右の判別は、該デジタルカメラのカメラ背面に向かって見たとき（即ち表示ユニットの表示面を見るとき）の左右をそれぞれ左側又は右側として区別する。
【００２２】
以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２３】
まず、本発明の一実施形態の画像表示装置（デジタルカメラ）の概略的な構成を、図１〜図４を用いて以下に説明する。
【００２４】
図１に示すように、本実施形態の画像表示装置であるデジタルカメラ１の外面側は、外装部材（１１，１２，１３，１４）と、後述する液晶表示部材である表示ユニット２１の表示面を保護する表示面保護部材１６と、複数の操作部材１７等によって構成されている。
【００２５】
外装部材（１１，１２，１３，１４）は、内部に本デジタルカメラ１を構成する各種の構成部材を収納し、本デジタルカメラ１の外面を覆う構成部材である。外装部材は、前カバー１１，後カバー１２，左カバー１３，右カバー１４とによって主に構成される。このうち前カバー１１は、主に前面側と上面の一部と底面の一部を覆う外装部材である。後カバー１２は、主に背面側と上面の一部を覆う外装部材である。左カバー１３は、主に左側面を覆う外装部材である。右カバー１４は、主に右側面を覆う外装部材である。本デジタルカメラにおける外装部材（１１，１２，１３，１４）は、扁平な薄型箱形状の筐体を形成している。
【００２６】
カメラ前面の前カバー１１には、後述する撮影用レンズユニット２６へと光束を導くための開口１１ａ（図３参照）が形成されている。なお、開口１１ａには、内部に設けられる撮影用レンズユニット２６の光学部材等を保護すると共に、入射光を透過し得るように構成された透明保護カバー１１ｂ（図３参照）が固定配置されている。
【００２７】
カメラ背面の後カバー１２には、本デジタルカメラ１の内部に配設される表示ユニット２１の表示面を外部に露呈させる開口１２ａ（図２参照）が形成されている。この開口１２ａを外部から覆うように表示面保護部材１６が配設されている。この場合において、表示面保護部材１６の外周縁部１６ａ（図３，図４参照）は、上記後カバー１２の開口１２ａの周縁部１２ａａ（図３，図４参照）に対して、例えば接着剤等を用いて接着固定されている。なお、表示面保護部材１６は、例えばアクリル樹脂等からなる透明平板部材によって形成されている。
【００２８】
操作部材１７は、本デジタルカメラ１の各種の操作を行う際に用いられる部材であって、外面側に設けられ使用者が直接操作する複数の押圧ボタン等によって構成される。
【００２９】
操作部材１７は、外装部材の上面及び背面の所定の部位に適宜配置されている。そのうち、例えば外装部材のカメラ上面の右寄りの部位には、シャッターレリーズボタン１７ａと、電源オンオフボタン１７ｂ等が配設されている。
【００３０】
デジタルカメラ１において、外装部材（１１，１２，１３，１４）によって形成される薄型箱形状の筐体の内部には、本デジタルカメラ１を構成する各種の構成部材が収納されている。本デジタルカメラ１における外装部材の内部に収納されている構成部材は、図３，図４に示すように、例えば液晶表示部材である表示ユニット２１と、撮影用レンズユニット２６と、電源電池２７と、記録媒体２８と、各種の電気基板（２９，３０）等がある。
【００３１】
電気基板としては、例えば主基板２９，操作用基板３０等がある。このうち主基板２９は、本デジタルカメラ１の制御を行う制御用ＩＣ等からなる制御回路等が実装されている。主基板２９には、例えば撮影用レンズユニット２６から延出されるフレキシブルプリント基板２６ａ（図３参照）や、表示ユニット２１から延出されるフレキシブルプリント基板２１ａ（図４参照）等が接続されている。
【００３２】
また、操作用基板３０は、上記複数の操作部材１７に対応する各種のスイッチ部材等が実装される電気基板である。操作用基板３０は、上記主基板２９との間で電気的に接続されている。したがって、上記操作部材１７が操作されて対応する各種のスイッチ部材が作用すると、各対応する指示信号が発生し、その指示信号は主基板２９の制御回路へと伝達されるようになっている。
【００３３】
表示ユニット２１は、画像を表示するための画像表示装置を構成する主要構成部材であり、例えば液晶表示部材（液晶表示ユニット）が適用される。
【００３４】
表示ユニット２１は、図２に示すように、後カバー１２の開口１２ａを内側から覆うように配設され、後カバー１２によって保持されている。この場合において、表示ユニット２１は、その表示面がカメラ背面側の外部を向くように配置される。これにより、表示ユニット２１の表示面は、開口１２ａを透して外部に露呈するようになっている。なお、表示ユニット２１の外周縁部と後カバー１２の開口１２ａの縁部内側面との間には、例え
ばモルトプレーン等の素材からなる緩衝部材３１が配設されている。
【００３５】
ここで、後カバー１２の開口１２ａと、表示ユニット２１と、表示面保護部材１６と、緩衝部材３１との配置は、図２に示すようになっている。即ち、後カバー１２の開口１２ａに対して表示ユニット２１は緩衝部材３１を介して内側から、表示面保護部材１６は外側から、それぞれの外周縁部が開口１２ａの周縁部１２ａａを挟み込むように配置されている。
【００３６】
一方、図２〜図５に示すように、表示ユニット２１の表示面に対向する側の面（表示面とは反対側の面；表示ユニット背面という）に対向する位置には、板状保護部材である表示ユニット保護部材２２が、表示ユニット背面を覆うように配設されている。
【００３７】
そして、表示ユニット保護部材２２は、第１固定板２３，第２固定板２４を介して後カバー１２の内側にビス止め固定されている。
【００３８】
ここで、本デジタルカメラ１内における表示ユニット保護部材２２の配置と、この表示ユニット保護部材２２の形状について、図５を用いて詳細に説明する。
【００３９】
なお、図５においては、表示ユニット保護部材２２の形状をわかりやすく示すために、その形状をやや誇張して図示している。また、同図において、表示ユニット保護部材２２に隣接する他の構成部材、即ち撮影用レンズユニット２６のフレキシブルプリント基板２６ａ，主基板２９，表示ユニット２１，第１固定板２３，第２固定板２４等の部材形状及び配置形態は、図面の煩雑化を避けるために簡略化して示している。
【００４０】
表示ユニット保護部材２２は、図５に示すように、表示ユニット背面を覆う覆い部となる湾曲部２２ａと、表示ユニット２１の外周縁部に接して固定される固定部となる一対の固定縁部２２ｂとを有して形成される。そして、表示ユニット保護部材２２は、例えばステンレス等の薄板部材によって形成されている。これにより、表示ユニット保護部材２２の湾曲部２２ａは両端支持梁としてのばね性である弾性力を有して形成されている。
【００４１】
覆い部である湾曲部２２ａは、表示ユニット背面を覆うように配置される部位である。この場合において、湾曲部２２ａは、表示ユニット背面との間に空隙を有し、表示ユニット背面に対して離間した位置に配置されるように、例えば断面が略円弧状に湾曲した形状に形成されている。
【００４２】
一対の固定縁部２２ｂ（支持端）は、表示ユニット２１の外周縁部のうち対向する一対の縁部２１ｂのそれぞれに固定される部位である。この一対の固定縁部２２ｂは、表示ユニット背面に平行な平面となるように形成されている。したがって、表示ユニット２１の表示ユニット背面に対し表示ユニット保護部材２２が所定の位置に配置された通常状態（無負荷状態）では、表示ユニット２１の一対の縁部２１ｂと表示ユニット保護部材２２の一対の固定縁部２２ｂとが相対して接触配置されると共に、湾曲部２２ａにおいては表示ユニット背面から離間して配置されるようになっている。
【００４３】
本デジタルカメラ１の内部において、表示ユニット保護部材２２は、次のように配置される（図５参照）。
【００４４】
まず、上述したように、後カバー１２の背面外側から表示面保護部材１６が開口１２ａを覆うように配設される。このとき、表示面保護部材１６は、外周縁部１６ａが後カバー１２の開口１２ａの周縁部１２ａａに対して接着固定される。
【００４５】
後カバー１２の内側には、開口１２ａを覆うように、周縁部１２ａａの後カバー１２の内側面に貼付された緩衝部材３１を僅かに潰しながら表示ユニット２１が配設されて、所定の手段で固定される。
【００４６】
この表示ユニット２１の表示ユニット背面を覆うように表示ユニット保護部材２２が配設される。このとき、表示ユニット保護部材２２の湾曲部２２ａは表示ユニット背面を覆うように、該表示ユニット背面に対して空隙を有して配置される。また、表示ユニット保護部材２２の一対の固定縁部２２ｂは、表示ユニット２１の一対の縁部２１ｂのそれぞれに対応させて配置される。
【００４７】
この状態において、第１固定板２３が後カバー１２の所定の位置、即ち図２の符号［Ａ１］〜符号［Ａ６］で示されるビス穴に対して六本のビス２５（Ａ１）〜２５（Ａ６）によってビス止め固定される。このとき、第１固定板２３の二つの爪部２３ａが、表示ユニット保護部材２２の一方の固定縁部２２ｂを抑えるように固定する。
【００４８】
また、二つの第２固定板２４が後カバー１２の所定の位置、即ち図２の符号［Ａ７］，［Ａ８］で示されるビス穴に対して二本のビス２５（Ａ７），２５（Ａ８）によってビス止め固定される。このとき、二つの第２固定板２４が、表示ユニット保護部材２２の他方の固定縁部２２ｂを抑えるように固定する。
【００４９】
これにより、表示ユニット保護部材２２は、各固定縁部２２ｂにおいて、表示ユニット２１の表示ユニット背面に対して直交する方向（ビス止め方向）には外れることがないように固定される。その一方で、各固定縁部２２ｂは、表示ユニット背面に対して平行な方向、つまり該背面に沿う方向には移動し得るように多少の自由度を持って固定される。
【００５０】
そして、表示ユニット保護部材２２の他方の面（表示ユニット２１が対向する面とは反対側の面）には、図５に示すように、例えば主基板２９や、この主基板２９に接続される撮影用レンズユニット２６のフレキシブルプリント基板２６ａ等の各種の内部構成部材が近接した位置に配設される。
【００５１】
このように構成された本実施形態のデジタルカメラ１において、表示ユニット保護部材２２の作用を、以下に説明する。
【００５２】
図５に示す状態において、本デジタルカメラ１に対して外力が加わることによって、装置内部の構成部材、例えば図５に示すフレキシブルプリント基板２６ａが表示ユニット保護部材２２の湾曲部２２ａに接触し、さらに、同湾曲部２２ａが図５の矢印Ｆで示す方向に押圧されたとする。
【００５３】
このとき、表示ユニット保護部材２２の湾曲部２２ａに加わる矢印Ｆ方向の押圧力は、湾曲部２２ａの弾性力に抗して該湾曲部２２ａを同方向へ押しながら、矢印Ｆ１方向へと分散して伝達される。そして最終的には、各固定縁部２２ｂを矢印Ｆ２方向へと移動させる力量となる。ここで、各固定縁部２２ｂは、上述したように、表示ユニット背面に対して直交する方向には移動することなく固定されているが、表示ユニット背面に対して平行な方向には移動し得るようになっている。したがって、各固定縁部２２ｂは、表示ユニット背面に沿う方向に移動することによって、上記湾曲部２２ａが受ける矢印Ｆ方向の押圧力を、各固定縁部２２ｂにおいて逃がすようになっている。
【００５４】
したがって、湾曲部２２ａは、矢印Ｆ方向に押圧されて表示ユニット背面との間の空隙において、矢印Ｆと同方向に押されつつ、加わる力量を矢印Ｆ１方向からＦ２方向へと逃がす役目をしている。
【００５５】
このように、表示ユニット保護部材２２は、表示ユニット２１の表示ユニット背面との間の隙間を充分に確保することができなくとも、表示ユニット背面を他の構成部材から確実に保護することができるような構成となっている。
【００５６】
以上説明したように上記一実施形態によれば、表示ユニット２１の表示ユニット背面に湾曲部２２ａ及び固定縁部２２ｂを有する表示ユニット保護部材２２を設けることによって、表示ユニット背面に向けて加わる押圧力や衝撃力等が表示ユニット背面に直接加わることがない。そして、当該押圧力，衝撃力等は、表示ユニット保護部材２２を介して表示ユニット２１の周縁部近傍へと逃がすように構成されているので、表示ユニット２１への悪影響を抑止することができる。
【００５７】
さらに、湾曲部２２ａは、板面に対して直交する方向に弾性力を有しているので、この弾性力によっても、上記外力による押圧力，衝撃力を受けることができる。
【００５８】
なお、上述の一実施形態における板状保護部材である表示ユニット保護部材２２は、覆い部を湾曲形状に形成した湾曲部２２ａで形成した例を示しているが、覆い部の形状はこれに限ることはない。例えば、板状保護部材として図６に示すような形状の板状保護部材（表示ユニット保護部材２２Ａ）を適用してもよい。
【００５９】
図６に示す例では、表示ユニット保護部材２２Ａは、断面が凸形状からなる覆い部を有して形成されている。この場合においては、表示ユニット保護部材２２Ａの覆い部２２Ａａに加わる押圧力，衝撃力等は、該覆い部２２Ａａが撓むことで該力量を受けると共に、各固定縁部２２Ａｂが図５で示す矢印Ｆ２方向と同方向へと移動することで、伝達される力量を表示ユニット２１の周縁部近傍に逃がすことができる。
【００６０】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００６１】
本発明は、画像表示装置を備えた各種の電子機器、例えばデジタルスチルカメラ，デジタルビデオカメラ，携帯電話，録音機器，電子手帳，電子辞書，小型パーソナルコンピュータ，携帯型ゲーム機器，テレビ，時計，ＧＰＳ（Global Positioning System）を利用したナビゲーション機器等、各種の画像表示装置付き電子機器に広く適用することが可能である。
【符号の説明】
【００６２】
１……デジタルカメラ
１１……前カバー
１１ａ……開口
１２……後カバー
１２ａ……開口
１２ａａ……周縁部
１３……左カバー
１４……右カバー
１６……表示面保護部材
１６ａ…外周縁部
１７……操作部材
１７ａ……シャッターレリーズボタン
１７ｂ……電源オンオフボタン
２１……表示ユニット
２１ａ……フレキシブルプリント基板
２１ｂ……縁部
２２……板状保護部材
２２，２２Ａ……表示ユニット保護部材
２２ａ……湾曲部
２２Ａａ……覆い部
２２ｂ，２２Ａｂ……各固定縁部
２３……第１固定板
２３ａ……爪部
２４……第２固定板
２５……ビス
２６……撮影用レンズユニット
２６ａ……フレキシブルプリント基板
３１……緩衝部材
１０１……画像表示装置
１１０……外装部材
１２１……表示ユニット
【図１】
0005508884.tif 000002
【図２】
0005508884.tif 000003
【図３】
0005508884.tif 000004
【図４】
0005508884.tif 000005
【図５】
0005508884.tif 000006
【図６】
0005508884.tif 000007
【図７】
0005508884.tif 000008